(57)【特許請求の範囲】
【請求項１】
雄連結部を一側縁に有し、この雄連結部が連結可能な形状の雌連結部を前記とは異なる側縁に備えた単位床化粧材の雄連結部及び雌連結部のいずれにも係合可能な構造を有する共用連結部を床化粧材本体部の側縁に沿って備えた幅調整用床化粧材であって、
前記共用連結部が、前記単位床化粧材の雌連結部の最大幅と略同じ内幅に配置され、連結される単位床化粧材の前記雌連結部が間に挿入される２つのアーム部と、
この２つのアーム部に連結されるとともに床化粧材本体の外縁から外側に延出するように設けられ、連結される単位床化粧材の前記雄連結部が嵌合される孔または切欠部を有する雄連結部嵌合部と、
前記連結される単位床化粧材の、前記２つのアーム部間に入り込んだ雌連結部に設けられた嵌合孔に嵌合される嵌合突起を備えることを特徴とする幅調整用床化粧材。
【請求項２】
前記連結される単位床化粧材の雌連結部に嵌合する嵌合突起が、床化粧材本体部から２つのアーム部間に垂下され、２つのアーム部間に挿入された連結される単位床化粧材の雌連結部の嵌合孔に上側から嵌合する嵌合突起であることを特徴とする請求項１に記載の幅調整用床化粧材。
【請求項３】
前記共用連結部が、２つのアーム部の下端を連結する板状部を有し、
上記連結される単位床化粧材の雌連結部に嵌合する嵌合突起が、前記板状部に垂設され、２つのアーム部間に挿入された連結される単位床化粧材の雌連結部の嵌合孔に下方から嵌合する嵌合突起であることを特徴とする請求項１に記載の幅調整用床化粧材。
【発明の詳細な説明】
【技術分野】
【０００１】
本発明は、雄連結部を一側縁に有し、この雄連結部と連結可能な形状の雌連結部を前記とは異なる側縁に備えた単位床化粧材の雄連結部及び雌連結部のいずれにも係合可能な構造を有する共用連結部を備えた幅調整用化粧床材に関する。
【背景技術】
【０００２】
バルコニー、ベランダ等の意匠性を上げる為に、コンクリートや防水シートの上に図１２に示すような単位床化粧材１００を敷設する事が行われている。
上記のような単位床化粧材１００は、通常、正方形や長方形をしているとともに、雄連結部１１０を一側縁に有し、この雄連結部１１０と連結可能な形状の雌連結部１２０を前記とは異なる側縁に備え、雄連結部１１０（雌連結部１２０）を隣接して配置される別の単位床化粧材１００の雌連結部１２０（雄連結部１１０）とをつぎつぎに連結させて床面の大きさ及び形状に応じた枚数の単位床化粧材１００をコンクリートや防水シートに敷き並べてバルコニー、ベランダ等に化粧床面を形成できるようになっている。
図１２中、１２１は、雄連結１１０が嵌合する嵌合孔である。
【０００３】
しかし、敷設する床面の大きさは、単位床化粧材の整数倍になっているとは限らないため、単位床化粧材を連結した敷設面の端には、壁面などとの間に隙間が生じる場合がある。
このような場合、この隙間をそのまま放置すると、見栄えが悪いという問題や、この隙間から風が単位床化粧材の下側に入り込み。単位床化粧材がめくり上がってしまうという問題が生じる。
【０００４】
したがって、隙間側の最外縁の単位床化粧材に幅調整用床化粧材を端部に連結して見栄えをよくする、あるいは、耐風性能を向上させるようにしている。
しかしながら、最外縁に配置された単位床化粧材は、雄連結部側あるいは雌連結部側のいずが隙間を臨むように配置されるか決まっていないため、幅調整用床化粧材としては、単位床化粧材の連結面側に雄連結部を備えた幅調整用床化粧材と、単位床化粧材の連結面側に雌連結部を備えた幅調整用床化粧材の２種類の幅調整用床化粧材を用意する必要がある。
【０００５】
そこで、係合部を有する継手片が側壁から突設され、この継手片の係合部が、単位床化粧材の脚部に係合されて単位床化粧材に連結されるとともに、単位床化粧材の端部に突設された雌連結部が通し得る大きさ形状の切欠き凹部を側壁に設けている端部納め材（特許文献１参照）や、単位床化粧材の雄連結部の外側面と係合するフック形状をなし、その一部には前記雄連結部が係合する孔または凹部が形成されているフック部を有する端縁材（特許文献２参照）のように、最外縁の単位床化粧材の隙間側に雄連結部が配置されても雌連結部が配置されても連結可能にした幅調整用床化粧材が提案されている。
【０００６】
しかしながら、前者の端部納め材の場合、係合片をパネル部から大きく延出させているので、施工現場へ搬送などを行う場合嵩張る、係合片が折れるなどの問題があるとともに、単位床化粧材の脚部が雌連結部および雄連結部からずれた位置に設けられていなければならず、単位床化粧材の構造に制約がある。
【０００７】
一方、後者の端縁材の場合、フック部の一端が開放されているため、フック部の剛性が不足して、変形したり折れたりしやすいとともに、風等により床化粧材がばたついた時に、フック部に引っ掛けているだけなので、上下方向の支持が不足しており、接触している部分の摩擦以外に外れ防止機能が無いために簡単に外れるおそれがある。
【０００８】
【特許文献１】特開平１１−３０３３６６号公報
【特許文献２】特許第３８６４９８８号公報
【発明の開示】
【発明が解決しようとする課題】
【０００９】
本発明は、上記事情に鑑みて、単位床化粧材の雄連結部及び雌連結部のいずれにもしっかりとした連結状態を得ることができる共用連結部を有し、この共用連結部が搬送などの際に嵩張らず、かつ、破損するおそれも少ない幅調整用床化粧材を提供することを目的としている。
【課題を解決するための手段】
【００１０】
上記目的を達成するために、本発明の請求項１に記載の幅調整用床化粧材（以下、「請求項１の床化粧材」と記す）は、雄連結部を一側縁に有し、この雄連結部が連結可能な形状の雌連結部を前記とは異なる側縁に備えた単位床化粧材の雄連結部及び雌連結部のいずれにも係合可能な構造を有する共用連結部を床化粧材本体部の側縁に沿って備えた幅調整用床化粧材であって、前記共用連結部が、前記単位床化粧材の雌連結部の最大幅と略同じ内幅に配置され、連結される単位床化粧材の前記雌連結部が間に挿入される２つのアーム部と、この２つのアーム部に連結されるとともに床化粧材本体の外縁から外側に延出するように設けられ、連結される単位床化粧材の前記雄連結部が嵌合される孔または切欠部を有する雄連結部嵌合部と、前記連結される単位床化粧材の、前記２つのアーム部間に入り込んだ雌連結部に設けられた嵌合孔に嵌合される嵌合突起を備えることを特徴としている。
【００１１】
本発明の請求項２に記載の幅調整用床化粧材（以下、「請求項２の床化粧材」と記す）は、請求項１の床化粧材において、上記連結される単位床化粧材の雌連結部に嵌合する嵌合突起が、床化粧材本体部から２つのアーム部間に垂下され、２つのアーム部間に挿入された連結される単位床化粧材の雌連結部の嵌合孔に上側から嵌合する嵌合突起であることを特徴としている。
【００１２】
本発明の請求項３に記載の幅調整用床化粧材（以下、「請求項３の床化粧材」と記す）は、請求項１の床化粧材において、上記共用連結部が、２つのアーム部の下端を連結する板状部を有し、上記連結される単位床化粧材の雌連結部に嵌合する嵌合突起が、前記板状部に垂設され、２つのアーム部間に挿入された連結される単位床化粧材の雌連結部の嵌合孔に下方から嵌合する嵌合突起であることを特徴としている。
【００１３】
本発明において、幅調整用床化粧材及び単位床化粧材の材質は、特に限定されないが、たとえば、全体が樹脂成形品で形成されていても構わないし、雄連結部や雌連結部などを備えた樹脂成形品の基台（枠）の上にタイルや合成木材製化粧材等の化粧表面材を接着剤やビス等で固着したものが挙げられる。
【発明の効果】
【００１４】
本発明の請求項１の床化粧材は、雄連結部を一側縁に有し、この雄連結部が連結可能な形状の雌連結部を前記とは異なる側縁に備えた単位床化粧材の雄連結部及び雌連結部のいずれにも係合可能な構造を有する共用連結部を床化粧材本体部の側縁に沿って備えた幅調整用床化粧材であって、前記共用連結部が、前記単位床化粧材の雌連結部の最大幅と略同じ内幅に配置され、連結される単位床化粧材の前記雌連結部が間に挿入される２つのアーム部と、この２つのアーム部に連結されるとともに床化粧材本体の外縁から外側に延出するように設けられ、連結される単位床化粧材の前記雄連結部が嵌合される孔または切欠部を有する雄連結部嵌合部と、前記連結される単位床化粧材の、前記２つのアーム部間に入り込んだ雌連結部に設けられた嵌合孔に嵌合される嵌合突起を備えるので、共用連結部によって単位床化粧材の雄連結部及び雌連結部のいずれにもしっかりとした連結状態を得ることができるとともに、共用連結部が搬送などの際に嵩張らず、かつ、破損するおそれも少ない。
【発明を実施するための最良の形態】
【００１５】
以下に、本発明を、その実施の形態をあらわす図面を参照しつつ詳しく説明する。
図１〜図６は、本発明にかかる幅調整用床化粧材の第１の実施の形態をあらわしている。
【００１６】
図１〜図３に示すように、この幅調整用床化粧材Ａは、樹脂射出成形品であって、床化粧材本体部１と、共用連結部２ａとを備えている。
共用連結部２ａは、１つしか図示していないが、図１２に示す連結される単位床化粧材１００の雄連結部１１０及び雌連結部１２０のピッチと同じピッチで床化粧材本体部１の単位床化粧材連結面に沿って設けられ、２つのアーム部２１と、雄連結部嵌合部２２と、雌連結部嵌合突起２３とを備えている。
【００１７】
２つのアーム部２１は、床化粧材本体部１の下面から下方に平行に延出され、その内幅が単位床化粧材１００の雌連結部１２０最大幅と略同じになっている。
雄連結部嵌合部２２は、２つのアーム部２１に連結されるとともに床化粧材本体部１の外縁から外側に延出するように設けられ、単位床化粧材１００の雄連結部１１０が嵌合される切欠部２２ａを有する。
雌連結部嵌合突起２３は、２つのアーム部２１の中間位置で床化粧材本体部１のから垂下され、後述するようにして２つのアーム部の間に挿入された単位床化粧材１００の雌連結部１２０に上方から嵌合するようになっている。
【００１８】
そして、単位床化粧材１００の雄連結部１１０を用いて幅調整用床化粧材Ａと単位床化粧材１００とを連結する場合には、図４に示すように、単位床化粧材１００の雄連結部１１０を雄連結部嵌合部２２の切欠部２２ａに上方から嵌合させるようになっている。
一方、単位床化粧材１００の雌連結部１２０を用いて幅調整用床化粧材Ａと単位床化粧材１００とを連結する場合には、図５に示すように、まず、アーム部２１から雄連結部嵌合部２２を切除し、図６に示すように、単位床化粧材１００の雌連結部１２０を、２つのアーム部２１間に挿入し、雌連結部１２０に雌連結部嵌合突起２３を上方から嵌合孔１２１に嵌合するようになっている。
また、アーム部２１と雄連結部嵌合部２２を簡単に切除できるように切欠や薄肉部を設けても良い。
【００１９】
以上のように、この幅調整用床化粧材Ａは、共用連結部２ａを備えているので、単位床化粧材１００を雄連結部１１０と雌連結部１２０とを連結しながら、バルコニーやベランダの床面に敷き並べたときに、幅調整用床化粧材Ａが連結される最外縁に雄連結部１１０及び雌連結部１２０のいずれが配置されていても連結することができるので、２種類の幅調整用床化粧材を用意する必要がなく、施工時の煩雑さも無く、金型の制作費用等が少なくて済む。
【００２０】
また、床化粧材本体部１から外側に雌連結部１２０と略同じ形状の雄連結部嵌合部２２が突出しているだけであるので、搬送時等に嵩張らない。
そして、単位床化粧材１００の雄連結部１１０を用いて幅調整用床化粧材Ａと単位床化粧材１００とを連結する場合には、単位床化粧材１００の雄連結部１１０を雄連結部嵌合部２２に嵌合するようになっているので、単位床化粧材１００同士の連結のようにしっかりとした連結状態が得られる。
一方、単位床化粧材１００の雌連結部１２０を用いて幅調整用床化粧材Ａと単位床化粧材１００とを連結する場合には、雌連結部１２０がアーム部２１間で横方向の動きが規制されるともに、雌連結部１２０に雌連結部嵌合突起２３が上方から嵌合されるので、やはりしっかりとした連結状態が得られる。したがって、風等により床化粧材がばたついて外れることがない。
【００２１】
図７〜図９は、本発明にかかる幅調整用床化粧材の参考例をあらわしている。
図７に示すように、この幅調整用床化粧材Ｂは、共用連結部２ｂに雌連結部嵌合突起２３が設けられておらず、雄連結部嵌合部２２と床化粧材本体部１との間に単位床化粧材１００の雌連結部１２０の高さ方向の寸法より大きな隙間２４が形成されるようになっている以外は、上記幅調整用床化粧材Ａと同様になっている。
【００２２】
この幅調整用床化粧材Ｂは、上記のようになっており、単位床化粧材１００の雄連結部１１０を用いて幅調整用床化粧材Ｂと単位床化粧材１００とを連結する場合には、図８に示すように、単位床化粧材１００の雄連結部１１０を雄連結部嵌合部２２の切欠部２２ａに上方から嵌合させるようになっている。
一方、単位床化粧材１００の雌連結部１２０を用いて幅調整用床化粧材Ｂと単位床化粧材１００とを連結する場合には、図９に示すように、隙間２４から２つのアーム部２１間に単位床化粧材１００の雌連結部１２０を挿入するようになっている。
隙間２４の幅は雌連結部１２０の外周幅と略同一幅で、全部もしくは一部を若干狭くしておくと、床材が風等の影響でばたついた時の外れ防止に、より効果的である。
【００２３】
この幅調整用床化粧材Ｂは、単位床化粧材１００の雌連結部１２０を用いて幅調整用床化粧材Ｂと単位床化粧材１００とを連結する場合には、上記のように、雄連結部嵌合部２２を切除する必要がないので、連結作業性に優れている。
また、２つのアーム部２１で雌連結部１２０を左右からしっかりと固定するので、風等によってはずれることもない。
【００２４】
図１０および図１１は、本発明にかかる幅調整用床化粧材の第２の実施の形態をあらわしている。
図１０に示すように、この幅調整用床化粧材Ｃは、共用連結部２ｃに、床化粧材本体部１から垂下する雌連結部嵌合突起２３に代えて、アーム部２１の下端を連結する板状部２５を設けるとともに、単位床化粧材１００の雌連結部１２０の高さ寸法と略同じ高さをした嵌合突起２６を板状部２５上に垂設した以外は、上記幅調整用床化粧材Ａと同様になっている。
【００２５】
この幅調整用床化粧材Ｃは、上記のようになっており、単位床化粧材１００の雄連結部１１０を用いて幅調整用床化粧材Ｃと単位床化粧材１００とを連結する場合には、幅調整用床化粧材Ａ，Ｂと同様に、単位床化粧材１００の雄連結部１１０を雄連結部嵌合部２２の切欠部２２ａに上方から嵌合させるようになっている。
一方、単位床化粧材１００の雌連結部１２０を用いて幅調整用床化粧材Ｃと単位床化粧材１００とを連結する場合には、図１１に示すように、隙間２４から２つのアーム部２１間に単位床化粧材１００の雌連結部１２０を床化粧材本体部１の下方に挿入した後、単位床化粧材１００を板状部２５方向に押し下げて、嵌合突起２６を下方から雌連結部１２０に嵌合させるようになっている。
【００２６】
この幅調整用床化粧材Ｃは、単位床化粧材１００の雌連結部１２０を用いて幅調整用床化粧材Ｃと単位床化粧材１００とを連結する場合には、雄連結部嵌合部２２を切除する必要がないとともに、雌連結部１２０に嵌合突起２６が嵌合されるので、幅調整用床化粧材Ｂに比べさらに強固な連結状態が得られる。
【００２７】
本発明は、上記の実施の形態に限定されない。例えば、上記の第１の実施の形態では、
単位床化粧材１００の雌連結部１２０を用いて幅調整用床化粧材Ａと単位床化粧材１００とを連結する場合、アーム部２１から雄連結部嵌合部２２を切除するようにしていたが、雌連結部嵌合突起２３を短くして、雌連結部１２０を雌連結部嵌合突起２３の下方に差し入れることができれば、雄連結部嵌合部２２を切除しなくても構わない。
【図面の簡単な説明】
【００２８】
【図１】本発明にかかる幅調整用床化粧材の第１の実施の形態であって、その共用連結部分を上からみた斜視図である。
【図２】図１の幅調整用床化粧材の共用連結部分を下から見た斜視図である。
【図３】図１の幅調整用床化粧材の共用連結部分の側面図である。
【図４】図１の幅調整用床化粧材の、単位床化粧材の雄連結部を用いて幅調整用床化粧材と単位床化粧材とを連結したときの連結状態を説明する図である。
【図５】図１の幅調整用床化粧材の、単位床化粧材の雌連結部を用いて幅調整用床化粧材と単位床化粧材とを連結するために、雄連結部嵌合部を切除した状態の斜視図である。を説明する図である。
【図６】図１の幅調整用床化粧材の、単位床化粧材の雌連結部を用いて幅調整用床化粧材と単位床化粧材とを連結したときの連結状態を説明する図である。
【図７】本発明にかかる幅調整用床化粧材の参考例であって、その共用連結部分を上からみた斜視図である。
【図８】図７の幅調整用床化粧材の、単位床化粧材の雄連結部を用いて幅調整用床化粧材と単位床化粧材とを連結したときの連結状態を説明する図である。
【図９】図７の幅調整用床化粧材の、単位床化粧材の雌連結部を用いて幅調整用床化粧材と単位床化粧材とを連結したときの連結状態を説明する図である。
【図１０】本発明にかかる幅調整用床化粧材の第２の実施の形態であって、その共用連結部分を下からみた斜視図である。
【図１１】図１０の幅調整用床化粧材の、単位床化粧材の雌連結部を用いて幅調整用床化粧材と単位床化粧材とを連結する方法を説明する図である。
【図１２】単位床化粧材の１例の底面図である。
【符号の説明】
【００２９】
Ａ，Ｂ，Ｃ 幅調整用床化粧材
１ 床化粧材本体部
２ａ，２ｂ，２ｃ 共用連結部
２１ アーム部
２２ 雄連結部嵌合部
２２ａ 切欠部
２３ 嵌合突起
２５ 板状部
２６ 嵌合突起
１００ 単位床化粧材
１１０ 雄連結部
１２０ 雌連結部
【図１】
0005185647.tif 000002
【図２】
0005185647.tif 000003
【図３】
0005185647.tif 000004
【図４】
0005185647.tif 000005
【図５】
0005185647.tif 000006
【図６】
0005185647.tif 000007
【図７】
0005185647.tif 000008
【図８】
0005185647.tif 000009
【図９】
0005185647.tif 000010
【図１０】
0005185647.tif 000011
【図１１】
0005185647.tif 000012
【図１２】
0005185647.tif 000013